(57)【特許請求の範囲】
【請求項１】
ドア貫通軸を通す挿通孔が肉厚方向に貫通している盤本体を有し、この盤本体の一方面にドア向けの取付面が形成されているドア器具用取付台座において、
前記盤本体には、前記取付面から突出しておりドアへの押圧力に抗して弾発力を発現する弾発片が一体形成されており、
前記盤本体には、前記取付面を凹ませるか又は前記盤本体の肉厚全部にわたり通り抜けさせて形成した弾発片収容部が設けられ、
前記弾発片は、前記弾発片収容部内の前記取付面よりも深い位置に根付き部を接続させた配置で設けられている
ことを特徴とするドア器具用取付台座。
【請求項２】
前記弾発片収容部は、前記盤本体の外周側面で外方へ開放して設けられていることを特徴とする請求項１記載のドア器具用取付台座。
【請求項３】
前記弾発片は、前記盤本体における前記取付面の中心寄りに当該盤本体と接続される根付き部を有しており、当該根付き部から前記盤本体の外方へ向けて次第に迫り上がる状態に設けられていることを特徴とする請求項１又は請求項２記載のドア器具用取付台座。
【発明の詳細な説明】
【技術分野】
【０００１】
本発明は、ドアにラッチ錠などの錠装置を取り付ける際に使用するハンドル取付台座などとして好適に使用可能なドア器具用取付台座に関する。
【背景技術】
【０００２】
ドアにラッチ錠などの錠装置を取り付ける際には、ドアの両面に一対のハンドル取付台座を配置し、一方のハンドル取付台座に設けられたネジ通孔から他方のハンドル取付台座に設けられた雌ネジ部へ取付ネジを差し込んで螺合し、締め付けることで行っている（例えば、特許文献１等参照）。
そして、各ハンドル取付台座に金属製の台座カバーを被せるなどした後、ハンドル軸が備えられたタイプのドアハンドルのハンドル軸を、ドアに埋め込んだ錠装置と両側のハンドル取付台座とに対してドアの一方側から串刺し状に貫通させ、ドアの他方側へ突き出たハンドル軸に、軸受けボスが備えられたタイプのドアハンドルを連結させるようにする。
【先行技術文献】
【特許文献】
【０００３】
【特許文献１】実公平６−４９７７５号公報
【発明の概要】
【発明が解決しようとする課題】
【０００４】
ドア両側へ配置したハンドル取付台座を固定する際に、取付ネジの締め付け度合いを強くし過ぎると、ドア両側に配置されるハンドル取付台座の取付面（ドア向きの面）間が非平行になる取付不備を原因として、ハンドル軸に曲がり成分の歪みが負荷し、ハンドル操作が重く操作し難くなる問題があった。また、ハンドル取付台座の雌ネジ部（ねじ山）を破損させたり、ハンドル取付台座がドアにめり込んでドアに凹み傷を付けたりする問題もあった。
【０００５】
また、ドアハンドル（錠装置）の使用が長年にわたると、ハンドル取付台座を固定する取付ネジに緩みが発生することがあり、この緩みを原因としてハンドル取付台座や錠装置にガタツキが発生し、耳障りなガタツキ騒音が発生する問題があった。更に、このガタツキを放置して使用を続ければ、必然的にドアハンドルのガタツキ量も大きくなり、ひいてはハンドル取付台座の雌ネジ部を崩壊させ、錠装置をも含めた一式の交換が必要になる。甚だしい場合には、ハンドル取付台座やこの台座に被せた装飾用の台座カバーによってド
アにも傷を付けてしまうことさえあった。
【０００６】
本発明は、上記事情に鑑みてなされたものであって、ハンドル取付台座などとして好適に使用可能なドア器具用取付台座において、ドアへの取付不備を原因としたハンドル軸等の操作不良を防止でき、加えてドア器具用取付台座等の破損を防止すると共にドアに対する凹み傷の発生も防止し、更には使用に伴うドア器具用取付台座のガタツキを防止してこのガタツキを原因とした各部の破損やガタツキ騒音等の一連の問題発生を防止できるようにしたドア器具用取付台座を提供することを目的とする。
【課題を解決するための手段】
【０００７】
前記目的を達成するために、本発明は次の手段を講じた。
即ち、本発明に係るドア器具用取付台座は、ドア貫通軸を通す挿通孔が肉厚方向に貫通している盤本体を有し、この盤本体の一方面にドア向けの取付面が形成されているドア器具用取付台座において、前記盤本体には、前記取付面から突出しておりドアへの押圧力に抗して弾発力を発現する弾発片が一体形成されており、前記盤本体には、前記取付面を凹ませるか又は前記盤本体の肉厚全部にわたり通り抜けさせて形成した弾発片収容部が設けられ、前記弾発片は、前記弾発片収容部内の前記取付面よりも深い位置に根付き部を接続させた配置で設けられていることを特徴とする。
【０００８】
前記弾発片収容部は、前記盤本体の外周側面で外方へ開放して設けられたものとするのがよい。
前記弾発片は、前記盤本体における前記取付面の中心寄りに当該盤本体と接続される根付き部を有しており、当該根付き部から前記盤本体の外方へ向けて次第に迫り上がる状態に設けられたものとしてもよい。
【発明の効果】
【０００９】
本発明に係るドア器具用取付台座では、ドアへの取付不備を原因としたハンドル軸等の操作不良を防止でき（正常動作の確立化）、加えてドア器具用取付台座等の破損を防止できると共にドアに対する凹み傷の発生も防止でき、更には使用に伴うドア器具用取付台座のガタツキが防止できることからこのガタツキを原因とした各部の破損やガタツキ騒音等の一連の問題発生をも防止することができる。
【図面の簡単な説明】
【００１０】
【図１】本発明に係るドア器具用取付台座の第１実施形態を示したものであって（ａ）は図２のＡ−Ａ線矢視図であり（ｂ）は図２のＢ−Ｂ線断面図である。
【図２】本発明に係るドア器具用取付台座の第１実施形態を示した背面図（ドア向き取付面を示した正面図）である。
【図３】本発明に係るドア器具用取付台座の第１実施形態においてドアへの取付状態を示した側断面図である。
【図４】ドア器具用取付台座をドアへ取り付ける状況を例示（盤本体については第２〜第４実施形態で示すような円形状のものを採用）した分解斜視図である。
【図５】本発明に係るドア器具用取付台座の第２実施形態を示したものであって（ａ）は背面図（ドア向き取付面を示した正面図）であり（ｂ）は（ａ）のＣ−Ｃ線矢視図であり（ｃ）は（ａ）のＤ−Ｄ線断面図である。
【図６】本発明に係るドア器具用取付台座の第３実施形態を示したものであって（ａ）は背面図（ドア向き取付面を示した正面図）であり（ｂ）は（ａ）のＥ−Ｅ線矢視図であり（ｃ）は（ａ）のＦ−Ｆ線断面図である。
【図７】本発明に係るドア器具用取付台座の第４実施形態を示したものであって（ａ）は背面図（ドア向き取付面を示した正面図）であり（ｂ）は（ａ）のＧ−Ｇ線矢視図であり（ｃ）は（ａ）のＨ−Ｈ線断面図である。
【発明を実施するための形態】
【００１１】
以下、本発明の実施の形態を、図面に基づき説明する。
図１乃至図３は、本発明に係るドア器具用取付台座１の第１実施形態を示している。本第１実施形態はハンドル取付台座として適用した場合を示している。このドア器具用取付台座１は、樹脂又は金属により所定の肉厚（取付ネジ２のネジ頭の全部又は一部を吸収可
能な寸法）に形成された盤本体３を主体として成る。この盤本体３には、ドアハンドル４のハンドル軸など、ドア１０を貫通して設けられるドア貫通軸５を通すための挿通孔６が肉厚方向に貫通して形成されている。またこの盤本体３において、ドア１０へ取り付ける際にドア１０へ向ける方の面（必ずしも全面的な面接触が限定されるわけではない）を取付面１２とする。
【００１２】
なお、図３（図４も併せて参照）から明らかなように、ドア器具用取付台座１には、ドア１０を挟んで対向配置させる２つのタイプが存在する。一方のタイプ（図３でドア１０の左側に符号１Ａを付して示す）は、取付ネジ２を螺合させるための雌ネジ部１３が形成されたものであり、他方のタイプ（図３でドア１０の右側に符号１Ｂを付して示す）は、取付ネジ２を差し込むためのネジ通孔１４が形成されたものである。これら一対のドア器具用取付台座１は、雌ネジ部１３が形成されるかネジ通孔１４が形成されるかの違いを除いては略同じ構造を有しているため、以下では主としてネジ通孔１４が形成されたタイプ（１Ｂ）について説明する。
【００１３】
盤本体３には、盤本体３の取付面１２を凹ませることによって形成した弾発片収容部２０が設けられており、この弾発片収容部２０に対して弾発片２１が一体形成されている。この弾発片２１は、常態において盤本体３の取付面１２から先端部を突出させている。そのため、盤本体３をドア１０に取り付ける際には取付面１２よりも先に弾発片２１の先端部がドア１０に当接することになるが、この当接後、弾発片２１はその先端部をドア１０に当接させた状態を維持したままドア１０に向けた押圧力に抗するように弾発力を発現して、弾発片収容部２０内に収められるようになる。すなわち、弾発片２１の弾発力は、ドア１０に対して盤本体３を押し返す方向で作用する。
【００１４】
図１及び図２に示すように、本第１実施形態において盤本体３は正方形状の盤に形成されたものを示している。そして、この盤本体３の外周側面のうちの対向二辺部に、盤本体３の外方（側方）へ開放する状態で２つの弾発片収容部２０が設けられたものとしてある。これら弾発片収容部２０は、盤本体３の肉厚全部にわたって通り抜けたものではなく、取付面１２から所定深さ位置に底部２０ａを有したものとしてある。
【００１５】
このような各弾発片収容部２０に対して、その内部の底部２０ａ（即ち、取付面１２よりも深い位置）に根付き部２２を接続させるようにして弾発片２１が設けられている（図１（ａ）参照）。図例では、根付き部２２を中心において相対逆方向へ斜めに突出する２個一組の弾発片２１が設けられたものを示している。これら２個一組の弾発片２１を側面視すると両弾発片２１がドア１０へ向けてＶ字状に開脚した配置となっている。
【００１６】
なお、根付き部２２は、盤本体３と弾発片２１とを一体的に連結する部分を言うものとするが、特定の形状を有したものではなく、盤本体３や弾発片２１に対して物理的、視覚的に明確な境界はない。
以上、詳説した構成を具備しているため、図３に示すように、雌ネジ部１３が形成されたタイプのドア器具用取付台座１（１Ａ）と、ネジ通孔１４が形成されたタイプのドア器具用取付台座１（１Ｂ）とをドア１０を挟んで対向させ、これらを取付ネジ２によって締結させる場合には、各ドア器具用取付台座１（１Ａ，１Ｂ）がドア１０へ向けた押圧力を受けるにしたがって弾発片２１がそれぞれ弾発力を発現すると共に、この弾発力を次第に強めるようになる。
【００１７】
従って、取付ネジ２を締め付ける作業者の感覚として、取付ネジ２の締め込み量が増すほど、締め付けトルクが増加する（締め難くなる）ことになり、その結果として、締め付けトルクが充分量に達した手応えを的確に感じ取ることができる。また同時に、ドア器具用取付台座１がドア１０に対して不動になる手応えによっても、締め付けトルクの充分量を感じ取ることができる。
【００１８】
これにより、取付ネジ２の締め過ぎを防止することができるので、雌ネジ部１３が形成されたタイプのドア器具用取付台座１（１Ａ）において、雌ネジ部１３などの破損を防止できることに繋がる。また取付ネジ２の締結完了後、各弾発片２１による弾発力は、各ドア器具用取付台座１（１Ａ，１Ｂ）がドア１０へ押圧される力に対して緩衝効果として作用する。従って、各ドア器具用取付台座１（１Ａ，１Ｂ）の取り付けが要因となってドア
１０に凹み傷を発生させることもない。
【００１９】
のみならず、各弾発片２１による弾発力は、取付ネジ２が雌ネジ部１３に螺合した状況下での螺合強度を高める（ネジ山同士の噛み合い間に生じる遊びを解消する）ように作用するために、経年後における取付ネジ２の緩み（ドア器具用取付台座１のガタツキ）を防止できることになる。従って、ドア器具用取付台座１のガタツキを原因とした各部の破損やガタツキ騒音等の一連の問題発生をも一挙に防止することができる。
【００２０】
殊に、雌ネジ部１３が形成されたタイプのドア器具用取付台座１（１Ｂ）において、雌ネジ部１３に取付ネジ２の締め過ぎを防止するような機構（例えば、締め付けトルクが規定値を超えるときにネジ山飛びを起こさせるものとして知られた特許第４４６３８２９号や特許第４５０７２１４号等に開示の技術）との組み合わせにおいて、特有の高い効果を奏する。
【００２１】
なぜなら、このような締め過ぎ防止機構を採用した場合には、作用が生じた時点（ネジ山飛びが生じた時点など）から、取付ネジ２を約半回転ほど増し締めすることが必要になるといった面倒を伴うが、本発明に係るドア器具用取付台座１では、万が一、取付ネジ２の増し締めを忘れた場合であっても、この増し締め忘れを補うように弾発片２１の弾発力で取付ネジ２の緩み止め効果が生じていることで、何ら不具合は生じないのである。寧ろ、このような締め過ぎ防止機構の採用時において本発明に係るドア器具用取付台座１を組み合わせることで、取付ネジ２の増し締め作業を不要化することができる。要するに、ドア１０に対するドア器具用取付台座１、ひいては錠装置２５を含めた全体としての取付作業が簡素化され、且つ確実化されるものとなる。
【００２２】
図５は、本発明に係るドア器具用取付台座１の第２実施形態を示している。本第２実施形態のドア器具用取付台座１が第１実施形態と最も異なるところは、弾発片収容部２０が、盤本体３の肉厚全部にわたって通り抜けた状態で形成されている点にある。また、本第２実施形態のドア器具用取付台座１では、弾発片２１が弾発片収容部２０内の片方の径方向内壁に根付き部２２を接続させた状態で設けられている点も特徴である。
【００２３】
本第２実施形態では、盤本体３を円形状の盤に形成されたものとしているので、弾発片収容部２０は、円周上の３等配位置（１２０°間隔）に配置されたものとしてあり、各弾発片収容部２０ごとに各１個の弾発片２１が割当てられたものとなっている。
なお、各弾発片２１は、根付き部２２から盤本体３の周方向に沿って延び出すように片持ち支持されたものであるが、この支持方向（根付き部２２から先端部へ向けた突出向き）を盤本体３の周方向で揃える配置としてある。ただ、これらの点は特に限定されるものではなく、例えば弾発片収容部２０の配置数及び弾発片２１の個数を４以上の偶数として、交互に突出向きを異ならせる等、適宜変更が可能である。
【００２４】
その他の構成及び作用効果については第１実施形態と略同じであり、同じ作用を奏する部分に同じ符号を付することで、ここでの詳説は省略する。
図６は、本発明に係るドア器具用取付台座１の第３実施形態を示している。本第３実施形態のドア器具用取付台座１についても、第２実施形態と同様に、弾発片収容部２０が、盤本体３の肉厚全部にわたって通り抜けた状態で形成されている。但し、第２実施形態とは異なり、本第３実施形態のドア器具用取付台座１では、弾発片２１が、弾発片収容部２０内の奥壁に接続されたものとしてある。
【００２５】
すなわち、弾発片２１の根付き部２２は盤本体３の中心寄りに配置されたものであり、弾発片２１は、この根付き部２２から盤本体３の外方へ向けて次第に迫り上がる状態に設けられている。
このような突出向きの弾発片２１では、ドア器具用取付台座１をドア１０へ取り付けるに際して、弾発片２１がドア１０との当接により弾発力を発現するときに、先端部が盤本体３の外方（側方）へ向けて僅かに突出するようになる。
【００２６】
従って、ドア器具用取付台座１をドア１０に取り付けた後、盤本体３を隠すように装飾用の台座カバー２３（図４参照）を被せる場合には、この弾発片２１が台座カバー２３を内側から外側へ押圧する係合片としても作用することとなり、この台座カバー２３のガタツキ防止や外れ防止が図れるものである。そのため、場合によっては弾発片２１により、
台座カバー２３用の係合構造を省略できる利点（構造簡略化など）に繋がる。
【００２７】
その他の構成及び作用効果については第２実施形態と同じであり、従って基本構成や作用効果は第１実施形態と略同じであるので、同じ作用を奏する部分に同じ符号を付することで、ここでの詳説は省略する。
図７は、本発明に係るドア器具用取付台座１の第４実施形態を示している。本第４実施形態のドア器具用取付台座１は第３実施形態の変形例とするもので、一つの弾発片収容部２０に対して複数（図例では３つ）の弾発片２１が設けられたものとなっている。
【００２８】
その他の構成及び作用効果については第３実施形態と同じであり、従って基本構成や作用効果は第１実施形態と略同じであるので、同じ作用を奏する部分に同じ符号を付することで、ここでの詳説は省略する。
ところで、本発明は、前記実施形態に限定されるものではなく、実施の形態に応じて適宜変更可能である。
【００２９】
例えば、各実施形態の違いからも明らかなように、盤本体３の平面形状は四角形や円形をはじめとして種々様々なものへ変更が可能である。また、盤本体３の平面形状の違いに応じて、弾発片収容部２０の配置や配置数、取付面１２で開口する形状など、適宜変更である。当然に、採用する弾発片収容部２０に応じて、弾発片２１の配置や配置数、突出向き、突出形状なども適宜変更可能である。
【００３０】
弾発片収容部２０は、盤本体３の外周部に配置すること（盤本体３の外方へ開放されていること）が限定されるものではなく、盤本体３の外周部よりも内側に配置することも可能である。すなわち、弾発片収容部２０は、取付面１２に対して周囲が囲まれた凹部として形成したり、貫通孔として形成したりすることができる。
本発明に係るドア器具用取付台座１は、ハンドル取付台座としての実施が限定されるものではない。例えば、ドアハンドル４の操作部とは乖離した近接位置に、ドア１０に対してサムターンや鍵差し部などを単独の器具として取り付ける場合があるが、この場合の器具取り付けに用いる台座としても好適に実施可能である。
【００３１】
本発明に係るドア器具用取付台座１は、雌ネジ部１３が形成されたタイプ（図３左側の符号１Ａ）と、ネジ通孔１４が形成されたタイプ（図３右側の１Ｂ）との双方に対して実施することが限定されるものではなく、少なくとも一方に対して実施することで十分の作用効果が得られる場合もある。
【符号の説明】
【００３２】
１  ドア器具用取付台座
１Ａ  ネジ通孔が形成されたタイプのドア器具用取付台座
１Ｂ  雌ネジ部が形成されたタイプのドア器具用取付台座
２  取付ネジ
３  盤本体
４  ドアハンドル
５  ドア貫通軸
６  挿通孔
１０  ドア
１２  取付面
１３  雌ネジ部
１４  ネジ通孔
２０  弾発片収容部
２０ａ  底部
２１  弾発片
２２  根付き部
２３  台座カバー
２５ 錠装置
【要約】      （修正有）【課題】ドア器具用取付台座において、ドアへの取付不備を原因としたハンドル軸等の操作不良を防止でき（正常動作の確立化）、加えてドア器具用取付台座の破損を防止すると共にドアに対する凹み傷の発生も防止し、更には使用に伴うドア器具用取付台座のガタツキを防止してこのガタツキを原因とした各部の破損やガタツキ騒音等の一連の問題発生を防止できるドア器具用取付台座を提供する。【解決手段】ドア器具用取付台座１は、ドア貫通軸を通す挿通孔６が肉厚方向に貫通している盤本体３を有し、盤本体３の一方面にドア向けの取付面１２が形成され、また、取付面１２から突出してドアへの押圧力に抗して弾発力を発現する弾発片２１が一体形成されている。【選択図】図１【図１】
0005753636.tif 000002
【図２】
0005753636.tif 000003
【図３】
0005753636.tif 000004
【図４】
0005753636.tif 000005
【図５】
0005753636.tif 000006
【図６】
0005753636.tif 000007
【図７】
0005753636.tif 000008